(57)【要約】【課題】番組抽出時にユーザが認識した情報や視認した画像を保持し、番組選択時にその情報や画像も確認しながら真に所望する番組を容易かつ確実に選択する。【解決手段】デジタル放送受信装置１１０は、操作部１３０が受け付けた操作入力に応じて決定された気に入り度をデジタル番組ストリームに関連付ける情報付加部１６０と、デジタル番組ストリームから静止画を取得する静止画取得部１６２と、デジタル番組ストリームから取得された静止画を、その元となったデジタル番組ストリームに関連付けられた気に入り度を把握できる態様で、表示装置１１４に表示させる静止画表示制御部１６４と、操作部１３０が受け付けた操作入力に応じて選択された１の静止画の元となったデジタル番組ストリームを表示装置に表示させる選択表示制御部１６８とを有することを特徴とする。【選択図】図２
2012023702.tif 000002
【特許請求の範囲】
【請求項１】
ユーザの操作入力を受け付ける操作部と、
前記操作部が受け付けた操作入力に応じてデジタル放送信号から１のデジタル番組ストリームを取得して、表示装置に表示させる番組取得部と、
前記操作部が受け付けた操作入力に応じて決定された気に入り度を前記デジタル番組ストリームに関連付ける情報付加部と、
前記気に入り度の関連付けを契機に前記デジタル番組ストリームから静止画を取得する静止画取得部と、
１または複数のデジタル番組ストリームから取得された１または複数の前記静止画を、その元となったデジタル番組ストリームに関連付けられた前記気に入り度を把握できる態様で前記表示装置に表示させる静止画表示制御部と、
前記表示装置に表示された前記１または複数の静止画から前記操作部が受け付けた操作入力に応じて選択された１の静止画の元となったデジタル番組ストリームを取得し、前記表示装置に表示させる選択表示制御部と、
を備えることを特徴とするデジタル放送受信装置。
【請求項２】
前記静止画取得部は、前記デジタル番組ストリームから複数の静止画を取得し、
前記静止画表示制御部は、前記表示装置における前記静止画のそれぞれの表示枠に、同一のデジタル番組ストリームから取得した複数の静止画を切り換え表示させることを特徴とする請求項１に記載のデジタル放送受信装置。
【請求項３】
前記静止画取得部は、前記デジタル番組ストリームから複数の静止画を取得し、
前記静止画表示制御部は、前記表示装置における前記静止画の１または複数の表示枠のうち前記操作部が受け付けた操作入力に応じて選択された表示枠に、同一のデジタル番組ストリームから取得した複数の静止画を切り換え表示させることを特徴とする請求項１に記載のデジタル放送受信装置。
【請求項４】
前記気に入り度を把握できる態様は、前記表示装置に静止画を重畳または並置する場合の表示順であることを特徴とする請求項１から３のいずれか１項に記載のデジタル放送受信装置。
【請求項５】
前記気に入り度を把握できる態様は、前記表示装置における静止画の表示サイズであることを特徴とする請求項１から３のいずれか１項に記載のデジタル放送受信装置。
【請求項６】
前記気に入り度を把握できる態様は、前記表示装置に静止画が表示された際の透過度を示すαブレンドであることを特徴とする請求項１から３のいずれか１項に記載のデジタル放送受信装置。
【請求項７】
ユーザの操作入力に応じてデジタル放送信号から１のデジタル番組ストリームを取得して、表示装置に表示させ、
ユーザの操作入力に応じて決定された気に入り度を前記デジタル番組ストリームに関連付け、
前記気に入り度の関連付けを契機に前記デジタル番組ストリームから静止画を取得し、
１または複数のデジタル番組ストリームから取得した１または複数の前記静止画を、その元となったデジタル番組ストリームに関連付けた前記気に入り度を把握できる態様で前記表示装置に表示させ、
前記表示装置に表示された前記１または複数の静止画から、ユーザの操作入力に応じて選択された１の静止画の元となったデジタル番組ストリームを前記表示装置に表示させることを特徴とするデジタル放送選択方法。
【発明の詳細な説明】
【技術分野】
【０００１】
本発明は、ザッピング選局の際に、番組候補を表示装置の画面上に保持させ、さらにその保持された番組候補から視聴する番組を選択可能なデジタル放送受信装置およびデジタル放送選択方法に関する。
【背景技術】
【０００２】
現在、地上波アナログ放送から地上波デジタル放送への移行が進んでいる。このようなデジタル放送では、デジタル放送に付加された様々な機能に伴ってチャンネル切り換え時に付加処理が遂行される。例えば、デジタル放送受信装置が、チャンネル切り換えの操作入力を受け付けると、制御部は、その時点で視聴しているデジタル番組ストリームのデコードを停止し、次に、ＮＩＭ（Network Interface Module）部を制御して、視聴するチャンネルを特定する周波数の放送波へチューニングし、ＭＰＥＧ−ＴＳ（Moving Picture Experts Group- Transport Stream）を抽出し、ＴＳデコーダを制御して、ＭＰＥＧ−ＴＳを、ＭＰＥＧビデオストリーム、ＭＰＥＧオーディオストリーム、及びＰＳＩ（Program Specification Information）/ＳＩ（Service Information）等の付加情報データに分離し、ＭＰＥＧデコーダを制御してＭＰＥＧビデオストリーム、ＭＰＥＧオーディオストリームをデコードするといったような一連の処理を行う。
【０００３】
このように、デジタル放送では、ユーザが選局操作を行ってから、次のチャンネルの映像が表示装置に表示されるまで時間を要するので、選局操作自体がストレスや焦燥感の原因となっている。したがって、アナログ放送のように次から次へとザッピング選局することが困難となっている。また、デジタル放送では、アナログ放送に比べ、チャンネルが多数準備されているので、通常、電子番組表（ＥＰＧ：Electronic Program Guide）等の文字で表現された番組情報から番組内容を確認し、所望する番組を特定する。しかし、そのようにして特定した番組を実際に視聴したときの番組イメージが、電子番組表の文字情報から得られる番組イメージと異なる場合が多々生じ得る。
【０００４】
そこで、実際の視聴を伴う番組抽出（ザッピング）中にユーザがブックマークボタンを押下することで、そのときの番組情報を記憶させ、抽出した番組において予め準備されている静止画や動画を後から一覧表示させて、ユーザに所望する番組を選択させる技術が開示されている（例えば、特許文献１）。
【先行技術文献】
【特許文献】
【０００５】
【特許文献１】特開２００８−２８８７３１号公報
【発明の概要】
【発明が解決しようとする課題】
【０００６】
しかし、特許文献１の技術では、抽出した番組に予め静止画や動画が準備されていない場合、例えば、文字で表現された他の番組情報を表示せざるを得ず、また、抽出した番組が一覧表示されたとしても、ユーザは、どのような理由でその番組を抽出したのか過去の記憶を思い出しつつ選択しなくてはならないので、番組抽出時において、ユーザが真に所望する（気に入った）番組を、その後の一覧表示からの番組選択時に特定できるとは限らなかった。特に、チャンネルが多数準備されているデジタル放送では、ザッピング操作に時間を要することが想定されるので、番組選択時に、ユーザは、番組抽出時に認識した情報、例えば、お気に入り度合いを忘れ、再び、選局に迷う結果を招くこととなる。
【０００７】
そこで本発明は、このような課題に鑑み、番組抽出時にユーザが認識した情報や視認した画像を保持し、番組選択時にその情報や画像を表示させることで、ユーザがその情報や画像も確認しながら真に所望する番組を容易かつ確実に選択することが可能な、デジタル放送受信装置およびデジタル放送選択方法を提供することを目的としている。
【０００８】
上記課題を解決するために、本発明は下記のデジタル放送受信装置およびデジタル放送選択方法を提供するものである。
（１）ユーザの操作入力を受け付ける操作部と、前記操作部が受け付けた操作入力に応じてデジタル放送信号から１のデジタル番組ストリームを取得して、表示装置に表示させる番組取得部と、前記操作部が受け付けた操作入力に応じて決定された気に入り度を前記デジタル番組ストリームに関連付ける情報付加部と、前記気に入り度の関連付けを契機に前記デジタル番組ストリームから静止画を取得する静止画取得部と、１または複数のデジタル番組ストリームから取得された１または複数の前記静止画を、その元となったデジタル番組ストリームに関連付けられた前記気に入り度を把握できる態様で前記表示装置に表示させる静止画表示制御部と、前記表示装置に表示された前記１または複数の静止画から前記操作部が受け付けた操作入力に応じて選択された１の静止画の元となったデジタル番組ストリームを取得し、前記表示装置に表示させる選択表示制御部と、を備えることを特徴とするデジタル放送受信装置。
（２）前記静止画取得部は、前記デジタル番組ストリームから複数の静止画を取得し、前記静止画表示制御部は、前記表示装置における前記静止画のそれぞれの表示枠に、同一のデジタル番組ストリームから取得した複数の静止画を切り換え表示させることを特徴とする上記（１）に記載のデジタル放送受信装置。
（３）前記静止画取得部は、前記デジタル番組ストリームから複数の静止画を取得し、前記静止画表示制御部は、前記表示装置における前記静止画の１または複数の表示枠のうち前記操作部が受け付けた操作入力に応じて選択された表示枠に、同一のデジタル番組ストリームから取得した複数の静止画を切り換え表示させることを特徴とする上記（１）に記載のデジタル放送受信装置。
（４）前記気に入り度を把握できる態様は、前記表示装置に静止画を重畳または並置する場合の表示順であることを特徴とする上記（１）から（３）のいずれかに記載のデジタル放送受信装置。
（５）前記気に入り度を把握できる態様は、前記表示装置における静止画の表示サイズであることを特徴とする上記（１）から（３）のいずれかに記載のデジタル放送受信装置。
（６）前記気に入り度を把握できる態様は、前記表示装置に静止画が表示された際の透過度を示すαブレンドであることを特徴とする上記（１）から（３）のいずれかに記載のデジタル放送受信装置。
（７）ユーザの操作入力に応じてデジタル放送信号から１のデジタル番組ストリームを取得して、表示装置に表示させ、ユーザの操作入力に応じて決定された気に入り度を前記デジタル番組ストリームに関連付け、前記気に入り度の関連付けを契機に前記デジタル番組ストリームから静止画を取得し、１または複数のデジタル番組ストリームから取得した１または複数の前記静止画を、その元となったデジタル番組ストリームに関連付けた前記気に入り度を把握できる態様で前記表示装置に表示させ、前記表示装置に表示された前記１または複数の静止画から、ユーザの操作入力に応じて選択された１の静止画の元となったデジタル番組ストリームを前記表示装置に表示させることを特徴とするデジタル放送選択方法。
【発明の効果】
【０００９】
本発明によれば、番組抽出時にユーザが認識した情報や視認した画像を保持するので、ユーザは、番組選択時にその情報や画像も確認しながら真に所望する番組を容易かつ確実に選択することが可能となる。
【図面の簡単な説明】
【００１０】
【図１】番組表示システムの概略的な接続関係を示した説明図である。
【図２】デジタル放送受信装置の概略的な構成を示した機能ブロック図である。
【図３】静止画表示制御部による表示動作を説明するための説明図である。
【図４】静止画表示制御部による他の表示動作を説明するための説明図である。
【図５】静止画表示制御部によるさらに他の表示動作を説明するための説明図である。
【図６】静止画表示制御部による他の表示動作を説明するための説明図である。
【図７】静止画表示制御部による他の表示動作を説明するための説明図である。
【図８】デジタル放送選択方法の処理の流れを説明したフローチャートである。
【発明を実施するための形態】
【００１１】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１２】
（番組表示システム１００）
図１は、番組表示システム１００の概略的な接続関係を示した説明図である。番組表示システム１００は、デジタル放送受信装置１１０と、リモコン１１２と、表示装置１１４と、アンテナ１１６とを含んで構成される。ここで、番組は、放送局１２０等から提供される放送プログラムの編成単位の総称であり、本実施形態では、その番組の具体的なコンテンツをデジタル番組ストリームと称する。したがって、以下では、特にコンテンツそのものを指す場合にデジタル番組ストリームの文言を用い、その総称を示す場合に番組の文言を用いることとする。また、チャンネルは、番組を提供する放送局等を特定する識別子であり、放送プログラムを受信するために排他的な周波数帯が割り当てられている。
【００１３】
デジタル放送受信装置１１０は、放送局１２０やサーバ装置１２２から、アンテナ１１６や通信網１２６を通じて、地上波デジタル放送、ＢＳ・ＣＳデジタル放送、ケーブルテレビ放送、ＩＰ放送、ビデオオンデマンド等、様々な番組放送のデジタル放送信号を受信し、そのデジタル放送信号から選択決定された任意の番組の映像を表示装置１１４に表示させる。このようなデジタル放送は、サービス形態の拡大と共に、提供される放送番組のチャンネル数も増加している。
【００１４】
リモコン１１２は、デジタル放送受信装置１１０を遠隔操作する装置であり、ユーザの操作入力を受けて、番組の選択決定、選択決定された番組の音量調節等、様々な処理を遠隔操作する。
【００１５】
表示装置１１４は、液晶ディスプレイ、有機ＥＬ(Electro Luminescence)ディスプレイ、シネマスクリーン、プロジェクタ（投影機）等で構成され、デジタル放送受信装置１１０で受信されたデジタル放送信号に基づく画像を表示する。アンテナ１１６は、地上波デジタル放送、ＢＳ・ＣＳデジタル放送のデジタル放送信号を受信する。
【００１６】
地上波アナログ放送から地上波デジタル放送への移行が進み、放送サービス形態の拡大も手伝って、ユーザが視聴可能な放送チャンネルや放送番組が増加しつつある。したがって、ユーザは、所望する番組を見つけ出すため、また、思いも寄らぬ番組の見逃しを防止するために、そのような多数のチャンネルを隈無く視認しなくてはならなくなる。これに反して、デジタル放送では、デジタル放送に付加された様々な機能に伴ってチャンネルの切り換え処理に時間を要している。そうすると、ユーザは、視聴可能な放送番組を一通り確認した後、改めて、その中から所望する１のチャンネルを選択しようとしても、時間の経過に伴って、気に入った番組がどれであったか忘れてしまい、再び、気に入った番組にあたるまで一通り見直さなければならないといった煩わしい思いをしていた。
【００１７】
本実施形態の番組表示システム１００を構成するデジタル放送受信装置１１０では、番組抽出時にユーザが認識した情報や視認した画像を保持するので、ユーザは、番組選択時にその情報や画像も確認しながら真に所望する番組を容易かつ確実に選択することが可能となる。以下、デジタル放送受信装置１１０を構成する各機能部について説明し、その後、デジタル放送受信装置１１０を用いたデジタル放送選択方法を詳述する。
【００１８】
（デジタル放送受信装置１１０）
図２は、デジタル放送受信装置１１０の概略的な構成を示した機能ブロック図である。デジタル放送受信装置１１０は、操作部１３０と、リモコンＩ／Ｆ１３２と、ＮＩＭ部１３４と、ネットワーク通信部１３６と、ＢＢ−ＮＩＭ部１３８と、ＴＳデコーダ１４０と、ビデオデコーダ１４２と、フレームメモリ１４４と、ＪＰＥＧエンコーダ１４６と、データ保持部１４８と、中央制御部１５０とを含んで構成される。ここで、ＮＩＭ部１３４と、ネットワーク通信部１３６と、ＢＢ−ＮＩＭ部１３８と、ＴＳデコーダ１４０と、ビデオデコーダ１４２とは番組取得部として機能する。図２では、データの流れを実線の矢印で表し、制御信号の流れを破線の矢印で表している。
【００１９】
操作部１３０は、操作キー、十字キー、ジョイスティック、ジョグダイヤル、タッチパネル等のスイッチから構成され、ユーザの操作入力を受け付ける。リモコンＩ／Ｆ１３２は、リモコン１１２との赤外線通信を通じてユーザ入力に対応したコマンドを取得し、中央制御部１５０に送信する。中央制御部１５０は、かかるコマンドを読み取り、そのコマンドに対応した処理を遂行する。
【００２０】
ＮＩＭ部１３４は、アンテナ１１６を通じて取得されたデジタル放送信号のうち、リモコン１１２や操作部１３０を通じてユーザに指定された任意のチャンネルの放送波を復調し、その復調した復調信号がＭＰＥＧ形式で圧縮された信号であれば、復調信号に含まれる１つ以上のＭＰＥＧ−ＴＳを抽出する。
【００２１】
ネットワーク通信部１３６は、通信網１２６に接続され、サーバ装置１２２から、デジタル放送信号に相当するＩＰストリーミングをパケット単位で取得する。ＢＢ−ＮＩＭ（Broad Band-NIM）部１３８は、リモコン１１２や操作部１３０を通じてユーザに指定された任意のチャンネルに関するＩＰストリーミング（デジタル番組ストリーム）を通信網１２６から取得、復調して、復調信号に含まれる１つ以上のＭＰＥＧ−ＴＳを抽出する。ただし、ＩＰストリーミングはアンテナ１１６を通じて取得されるデジタル放送と異なりＭＰＥＧ−ＴＳが不連続に送信されるため、ＭＰＥＧデータに挿入されているタイムスタンプ等に基づいてデータ速度を調整する。
【００２２】
ＴＳデコーダ１４０は、ＮＩＭ部１３４またはＢＢ−ＮＩＭ部１３８で抽出された１つ以上のＭＰＥＧ−ＴＳから、選択決定されたチャンネルのＭＰＥＧ−ＴＳのみを抽出すると共に、その抽出したＭＰＥＧ−ＴＳを、ＭＰＥＧビデオストリーム、ＭＰＥＧオーディオストリーム、およびＰＳＩ/ＳＩ等の付加情報データに分離し、ＭＰＥＧビデオストリームをビデオデコーダ１４２に出力する。
【００２３】
ビデオデコーダ１４２は、ＭＰＥＧビデオストリームを映像信号にデコードしてフレームメモリ１４４に出力する。フレームメモリ１４４は、ＳＤＲＡＭ（Synchronous Dynamic RAM）等のＲＡＭで構成され、デコードされた映像信号を一時的に保持し、その後、表示装置１１４に出力する。ＪＰＥＧエンコーダ１４６は、フレームメモリ１４４に保持された静止画を中央制御部１５０の制御信号に応じてＪＰＥＧ（Joint Photographic Experts Group）データにエンコードする。
【００２４】
データ保持部１４８は、ＲＡＭ（Random Access Memory）、フラッシュメモリ、ＨＤＤ（Hard Disk Drive）等で構成され、中央制御部１５０の各機能部の処理に必要な各情報を一時的に保持する。なお、ＨＤＤは正確には装置であるが、説明の便宜上本説明では他の記憶媒体と同義として扱う。
【００２５】
中央制御部１５０は、中央処理装置（ＣＰＵ）、プログラム等が格納されたＲＯＭ、ワークエリアとしてのＲＡＭ等を含む半導体集積回路により、デジタル放送受信装置１１０全体を管理および制御する。また、本実施形態において、中央制御部１５０は、情報付加部１６０、静止画取得部１６２、静止画表示制御部１６４、番組情報取得部１６６、選択表示制御部１６８、番組候補削除部１７０としても機能する。
【００２６】
情報付加部１６０は、番組抽出モードにおいて、リモコン１１２や操作部１３０を通じたユーザの操作入力に応じ、お気に入りの度合いを示す気に入り度を決定し、その決定された気に入り度をデジタル番組ストリームに関連付ける。ここで、番組抽出モードは、チャンネルの切り換えに応じて様々なデジタル番組ストリームを視聴可能な、通常時に滞在しているモードであり、特定の操作を行うことによって番組候補を抽出し、表示装置１１４の画面上に保持させることができる。これに対して、番組選択モードは、特定の操作を通じて、番組抽出モードで抽出した番組から１の番組を選択するモードである。
【００２７】
番組抽出モードにおいて、ユーザがザッピングを試みる場合、ユーザは、リモコン１１２や操作部１３０を通じてチャンネルを切り換え、気に入った番組を見つけると、その番組が表示装置１１４に表示されている状態で「番組抽出」を示す操作ボタンを押止する。すると、そのとき表示されていた番組が選択候補として抽出される。また、ユーザは、その「番組抽出」を示す操作ボタンに続けて、気に入り度を表す数値キー（例えば、１〜５の５段階）を押止し、その選択候補であるデジタル番組ストリームに気に入り度を関連付けることができる。ここでは、気に入り度の入力手段として数値キーの押止を挙げているが、かかる場合に限らず、例えば、「番組抽出」を示す操作ボタンの押下時間をもって、例えば、押下時間が長いほど気に入り度が高くなるように設定してもよい。
【００２８】
静止画取得部１６２は、気に入り度の関連付けを契機に、ＪＰＥＧエンコーダ１４６にデジタル番組ストリームをフレーム単位で保持しているフレームメモリ１４４から静止画を取得（キャプチャ）させ、その静止画をＪＰＥＧデータにエンコードさせてデータ保持部１４８に保持させる。ただし、説明の便宜のため、ＪＰＥＧデータ等の１フレームに相当する画像を、以下では単に静止画と称する。
【００２９】
静止画表示制御部１６４は、１または複数のデジタル番組ストリームから取得され、データ保持部１４８に保持されている１または複数の静止画を読み出して、その元となったデジタル番組ストリームに関連付けられた気に入り度を把握できる態様で、表示装置１１４の画面枠の一部に、ＰｉｎＰ（Picture in Picture）画像またはサムネイルとして表示させる。
【００３０】
気に入り度を把握できる態様は、気に入り度の大小が視覚的に把握できれば、数値を直接表示する等どのような態様でもよいが、ここでは、例えば、表示装置１１４に静止画を重畳または並置する場合の静止画の表示順とする。
【００３１】
図３は、静止画表示制御部１６４による表示動作を説明するための説明図である。上述したように、番組抽出モードにおいて、表示装置１１４に任意の番組が表示されている状態で、ユーザがリモコン１１２や操作部１３０における「番組抽出」を示す操作ボタンを押止し、引き続き、気に入り度を表す数値キーを押止すると、その選択候補であるデジタル番組ストリームに、入力された気に入り度が関連付けられる。番組抽出モードにおいて、ユーザが、最初に「番組抽出」を示す操作ボタンを押止したときには、まだ、選択候補としての番組が１つなので、図３（ａ）の如く、そのデジタル番組ストリームから切り出した１枚の静止画１７８のみが表示装置１１４の画面左上に表示される。
【００３２】
番組抽出モードにおいて、ユーザが、さらにザッピングを継続し、複数の番組に関して「番組抽出」を示す操作ボタンを押止すると、静止画取得部１６２は、その都度、静止画１７８をデータ保持部１４８に保持させ、静止画表示制御部１６４が随時、表示装置１１４にその静止画１７８を追加表示させる。したがって、図３（ｂ）、（ｃ）に示すように、表示装置１１４上には、ユーザが「番組抽出」を示す操作ボタンを押止した数だけ静止画１７８が保持されることとなる。ただし、静止画表示制御部１６４は、同一のデジタル番組ストリームに関して「番組抽出」を示す操作ボタンが複数回押止された場合、２回目以降の押止を無視するか、または、最後の押止を有効にしてその前の押止を無効にする。
【００３３】
このとき、各静止画１７８には、その元となったデジタル番組ストリームを通じて気に入り度が関連付けられているので、静止画表示制御部１６４は、その気に入り度の高い順に所定の方向に複数の静止画１７８を並べ替える。例えば、図３（ｂ）のような、静止画１７８を奥行き方向に重畳して立体的な表示を行う場合、関連付けられた気に入り度が高いほど、その静止画１７８が前面に位置するように重畳され、抽出はされたものの関連付けられた気に入り度が低い静止画１７８は後面に位置するように重畳されることとなる。したがって、気に入り度が高い静止画１７８が前面において優先的に視認され、ユーザは、番組選択モードにおいて、前面側に配された、自身が気に入り度を高く設定した静止画１７８から選択候補を確認することが可能となる。
【００３４】
また、静止画表示制御部１６４は、図３（ｃ）のように、表示装置１１４の任意の位置から、気に入り度が高い順に静止画１７８を単純に並置させてもよい。かかる場合においても、ユーザは、気に入り度が高い静止画１７８を画面上部で優先的に視認することができ、番組選択モードにおいて、視認し易い静止画１７８から選択候補を確認することが可能となる。
【００３５】
また、気に入り度を把握できる態様は、表示装置１１４における静止画１７８の表示サイズとしてもよい。例えば、静止画表示制御部１６４は、気に入り度が高い静止画１７８ほど、気に入り度が低い静止画１７８と比較して表示装置１１４に大きく表示させる。
【００３６】
図４は、静止画表示制御部１６４による他の表示動作を説明するための説明図である。静止画表示制御部１６４では、気に入り度に応じて静止画１７８の大きさが段階的に予め定められており、番組抽出モードにおいて、表示装置１１４に任意の番組が表示されている状態で、ユーザが「番組抽出」を示す操作ボタンを押止し、引き続き、気に入り度を表す数値キーを押止すると、その選択候補であるデジタル番組ストリームに気に入り度が関連付けられる。そして、図４のように、気に入り度に応じた大きさで、そのデジタル番組ストリームから切り出したそれぞれ１枚の静止画１７８のみが画面上部から時系列に表示装置１１４に表示される。
【００３７】
したがって、表示装置１１４には、ユーザが「番組抽出」を示す操作ボタンを押止した数だけ静止画１７８が表示されている。かかる静止画１７８の表示において、ユーザは、その静止画１７８の大きさによって、番組抽出時に気に入り度をどのように設定したかを把握でき、また、抽出した順を時系列に把握できるので、特にインパクトのあった番組等をその抽出したタイミングによっても思い出すことができる。したがって、ユーザは、番組選択モードにおいて、その並び順を参照しながら、比較的大きく表示された、自身が気に入り度を高く設定した静止画１７８から選択候補を確認することが可能となる。
【００３８】
図５は、静止画表示制御部１６４によるさらに他の表示動作を説明するための説明図である。図５（ａ）および（ｂ）は、図４で説明したように静止画表示制御部１６４が気に入り度に応じて段階的に予め定められた大きさで静止画１７８を表示する点は等しいが、その表示位置が予め定められた表示枠１８０に対応付けられる点で異なる。例えば、表示装置１１４の画面枠の一部に、図５（ａ）および（ｂ）に示すような複数の表示枠１８０が隣接して準備され、それぞれの枠の大きさが等しいか、または４ｎ倍（ｎは整数）の大きさの関係となっている。
【００３９】
番組抽出モードにおいて、ザッピングを実行しつつ、ユーザが、複数の番組に関して「番組抽出」を示す操作ボタンを押止すると、静止画取得部１６２は、その都度、静止画１７８を、気に入り度に応じて、段階的に予め定められた大きさに変更し、その大きさと等しい表示枠１８０に当て嵌める。ここでは、図４の場合と異なり、静止画１７８が秩序立てて配列されているので、ユーザは、番組選択モードにおいて、抽出した静止画１７８のうちの気に入り度が高い静止画１７８を常に同じ位置で視認でき、所望する番組を容易に選択することができる。
【００４０】
さらに、気に入り度を把握できる態様は、表示装置１１４に静止画１７８が表示された際の透過度を示すαブレンドであってもよい。αブレンドは、２つの画像を係数α値で透過合成することであり、静止画表示制御部１６４は、表示装置１１４全体に表示されている画像に対して重畳する各静止画１７８の透過度を制御することで気に入り度を示す。例えば、静止画表示制御部１６４は、気に入り度が高い静止画１７８ほど、気に入り度が低い静止画１７８と比較して透過度が低く（不透明に）なるように、即ち、気に入り度が高い静止画１７８をより鮮明に認識できるように表示させる。
【００４１】
かかる静止画１７８の表示において、ユーザは、その静止画１７８の鮮明度によって、番組抽出時に気に入り度をどのように設定したかを把握できる。したがって、ユーザは、番組選択モードにおいて、透過していない鮮明に表示された、自身が気に入り度を高く設定した静止画１７８から選択候補を確認することが可能となる。
【００４２】
ここでは、静止画表示制御部１６４が番組抽出モードにおいて抽出されたデジタル番組ストリームの１の静止画１７８を表示装置１１４に並べて表示する例を述べた。しかし、静止画表示制御部１６４は、番組毎に単に１の静止画１７８を表示するのみならず、その表示枠１８０において、複数の静止画１７８を切り換え（コマ送り）表示することもできる。
【００４３】
例えば、静止画取得部１６２が、デジタル番組ストリームから複数の静止画１７８を取得した場合、静止画表示制御部１６４は、表示装置１１４における静止画１７８のそれぞれの表示枠１８０に、静止画取得部１６２が同一のデジタル番組ストリームから取得した複数の静止画１７８を切り換え表示させる。
【００４４】
具体的に、番組選択モードにおいて、ユーザが、リモコン１１２や操作部１３０を通じ、チャンネルを切り換えると、静止画取得部１６２は、そのチャンネル毎に、複数枚の静止画１７８を例えば０．５秒おきに取得する。そして、その番組が表示装置１１４に表示されている状態で、ユーザが「番組抽出」を示す操作ボタンを押止すると、即ち、表示中の番組を抽出すると、静止画取得部１６２は、その時点で取得された複数の静止画１７８をデータ保持部１４８に保持させ、静止画表示制御部１６４は、１の番組に関する複数の静止画１７８を、１の表示枠１８０に切り換え表示させる。また、その番組がユーザによって抽出されないまま、新たなチャンネルに変更されると、静止画取得部１６２は、抽出されなかった番組に関して取得されていた複数の静止画１７８をデータ保持部１４８から削除（破棄）する。
【００４５】
例えば、最終的に切り換え表示する静止画１７８を４枚とした場合、静止画取得部１６２は、番組が選局されている状態で、０．５秒おきに静止画１７８を取得し、データ保持部１４８にその番組に関する静止画１７８がすでに４枚保持されていると、最古の静止画１７８を削除して新たな静止画１７８を保持する、所謂ＦＩＦＯ（First In First Out）を実行する。したがって、任意のチャンネルが選局されている状態において、データ保持部１４８には、常に、その番組に関する４枚の静止画１７８が更新されつつ保持されていることとなる。
【００４６】
また、静止画取得部１６２の静止画１７８の取得処理は、かかる場合に限られず、例えば、チャンネル選局開始直後に３枚の静止画１７８を保持し、その番組が最終的に抽出されたことを契機に最後の１枚を保持するとしたり、データ保持部１４８の記憶容量に余裕があれば、任意のチャンネルが選局している間、０．５秒おきに番組を表示している間のすべての静止画１７８を保持し、その番組が抽出されたことを契機に保持されたすべての静止画１７８から時間間隔を均等にして４枚の静止画１７８を抜粋したりと、様々な処理を行うことができる。また、最終的に切り換え表示する枚数や静止画１７８を取得する時間間隔も自由に設定することが可能である。
【００４７】
このようにして、静止画表示制御部１６４は、静止画取得部１６２に取得された１の番組に関する複数の静止画１７８を、１の表示枠１８０に切り換え表示する。このときの複数の静止画１７８の表示時間間隔は、取得時の時間間隔である０．５秒と等しくしてもよいし、別途定めてもよい。
【００４８】
図６は、静止画表示制御部１６４による他の表示動作を説明するための説明図である。例えば、図３（ｃ）のように、静止画１７８が表示装置１１４の任意の位置から気に入り度の高い順に単純に並置されている状態で、さらに、その静止画１７８が表示された表示枠１８０それぞれにおいて、図６のように、静止画１７８の元となるデジタル番組ストリームが等しい複数の静止画１７８が繰り返し切り換え表示され、ユーザは、その複数の静止画１７８を視認しつつその表示位置によって気に入り度を把握し、最終的に視聴するデジタル番組ストリームを選択する。
【００４９】
このように、各表示枠１８０において１の静止画１７８のみが表示されるのではなく、複数の静止画１７８が交互に表示されることで、ユーザは、その静止画１７８の元となるデジタル番組ストリームをより確実に特定することができる。しかし、すべての表示枠１８０において、切り換え表示が行われると表示が煩雑になり、ユーザは、どの表示枠１８０に着目してよいのか迷ってしまったり、重要な静止画１７８を見落としてしまう場合がある。また、所望する番組の複数の静止画１７８のみを確認したいのに、その回りの切り換わり表示が気になってしまうこともありうる。
【００５０】
そこで、静止画表示制御部１６４は、表示装置１１４における静止画１７８の１または複数の表示枠１８０のうちユーザの操作入力に応じて選択された表示枠１８０に限り、同一のデジタル番組ストリームから取得した複数の静止画１７８を切り換え表示させるとしてもよい。
【００５１】
図７は、静止画表示制御部１６４による他の表示動作を説明するための説明図である。図７に示した表示装置１１４では、図６と異なり、各表示枠１８０には、１の静止画１７８のみが固定的に表示されている。この状態で、ユーザが１つの表示枠１８０を選択する。
【００５２】
この選択操作は、具体的には、ユーザがどの表示枠１８０を選択しているかを示すフォーカス枠１８２をユーザ操作によって移動させることで実現する（以下、このユーザによる選択操作を「フォーカス枠１８２を当てる」と呼ぶことがある）。なお、本説明では「フォーカス枠１８２」を例に説明するが、選択されている（すなわちフォーカスされている）ことを示すには、その選択された領域を他の領域と区別できればよく、例えば、選択された領域の輝度を変えるとか、色を変えるとかの手法でもよいことは言うまでもない。
【００５３】
図７の如く、任意の表示枠１８０にフォーカス枠１８２を当てたとき、その任意の静止画１７８を表示している表示枠１８０においてのみ、複数の静止画１７８の切り換え表示が実行される。ユーザは、他の表示枠１８０では１の静止画１７８のみが停止して表示されているところ、所望する番組（フォーカス枠１８２が当たっている表示枠１８０）に関してのみ複数の静止画１７８を視認しつつ、その表示位置によって気に入り度を把握し、最終的に視聴するデジタル番組ストリームを選択することができる。したがって、効率的に所望のチャンネルを選択することが可能となる。
【００５４】
番組情報取得部１６６は、静止画取得部１６２が静止画１７８をデータ保持部１４８に保持する際、電子番組表（ＥＰＧ）等から、その静止画１７８の元となるデジタル番組ストリームの番組情報を取得し、その番組情報を静止画１７８に重畳する。ここで、番組情報は、番組名、チャンネル番号、放送時間等、デジタル番組ストリームを特定できる様々な情報をいう。
【００５５】
ユーザは、番組情報取得部１６６が重畳した番組情報を通じて、番組を抽出する際に、その番組を番組情報に関連付けてどのように認識したかを鮮明に思い出すことができる。また、気に入り度が等しく表示された複数の番組に対して、最終的にどの番組を選択するかの基準にもなる。さらには、放送時間を参照して、気に入り度は高いが、残りの視聴可能時間が短いこと等も認識でき、その番組の選択を諦める基準としても利用できる。
【００５６】
選択表示制御部１６８は、番組抽出モードが一通り終了して番組選択モードに移行した後、表示装置１１４の画面枠の一部に表示された１または複数の静止画１７８から、ユーザの操作入力に応じて１の静止画１７８を選択し、番組取得部（ＮＩＭ部１３４やＢＢ−ＮＩＭ部１３８）に、選択した１の静止画１７８の元となったデジタル番組ストリームを取得させ、そのデジタル番組ストリームを表示装置１１４に表示させる。
【００５７】
ユーザは、番組抽出モードにおいて、ザッピングを行った後、リモコン１１２や操作部１３０を通じ「番組選択」を示す操作ボタンを押止し、意図的に番組選択モードに移行する。すると、表示装置１１４上の１または複数の静止画１７８を表示している表示枠１８０にフォーカス枠１８２が当たり（ここでは表示枠１８０の縁が強調され）、リモコン１１２や操作部１３０の操作に応じて、その１または複数の表示枠１８０のフォーカス枠１８２を移動することができ、静止画１７８を通じて所望する番組が決まったら、その表示枠１８０にフォーカス枠１８２を当てて、「決定」を示す操作ボタンを押止する。こうして、ユーザは、番組抽出モードで抽出した番組の中から、番組選択モードにおいて１の番組を選択することが可能となる。
【００５８】
番組候補削除部１７０は、番組抽出モードで抽出された番組を示す静止画１７８を個別に、またはすべて一括して削除する。例えば、ユーザは、リモコン１１２や操作部１３０の操作を通じて、フォーカス枠１８２を移動し、任意の表示枠１８０にフォーカス枠１８２が当たっている状態で、「決定」を示す操作ボタンの代わりに「削除」を示す操作ボタンを押止する。かかる処理により、フォーカス枠１８２が当たっていた表示枠１８０中の静止画１７８に関するデータ保持部１４８内の情報が削除され、表示装置１１４から静止画１７８が削除される。こうして、気に入り度が低い等、最早必要なくなった静止画（番組）１７８を個別に削除することが可能となる。
【００５９】
さらに、フォーカス枠１８２の位置に拘わらず、また、番組抽出モードであるか番組選択モードであるかのモードの如何に拘わらず、ユーザは、リモコン１１２や操作部１３０の「全削除」を示す操作ボタンを押止することで、表示装置１１４に表示された番組抽出モードで抽出された番組に関する静止画１７８をすべて削除させることができる。ユーザは、例えば、番組抽出モードにおいて、抽出した番組に拘わらず、絶対的に視聴したい番組を見つけ出した場合や、番組選択モードにおいて、選択した番組をそのまま視聴することに決めた場合、このような全削除機能を通じて、不要となった静止画１７８をすべて削除することが可能となる。
【００６０】
また、番組候補削除部１７０は、ユーザがリモコン１１２や操作部１３０を通じて一部またはすべての静止画１７８を削除する旨の指示を受けた場合、表示装置１１４に「削除いたします。よろしいでしょうか。」等の確認メッセージを表示して、その削除処理を確認してもよい。
【００６１】
さらに、番組候補削除部１７０は、ユーザの操作入力を要することなく、自体で自動的に静止画１７８を削除することもできる。例えば、番組候補削除部１７０は、静止画１７８の元となったデジタル番組ストリームの放送時間が終了した場合、その静止画１７８を表示し続けても、ユーザがその番組を選択することができないので、放送時間の終了を受けて、その静止画１７８を自動的に削除する。また、静止画１７８の数が表示可能な数の上限（例えば１００枚）に達した場合、気に入り度が低く設定された静止画１７８から、または、最初に抽出された静止画１７８から、随時、静止画１７８を削除し、その分、新たな静止画１７８を登録する。
【００６２】
以上、説明したデジタル放送受信装置１１０では、番組抽出モード中、ザッピング選局において、ユーザの操作入力に応じ、静止画取得部１６２がそのデジタル番組ストリームから１または複数の静止画１７８を取得すると共に、そのデジタル番組ストリームに気に入り度を関連付けて保持し、静止画表示制御部１６４がその１または複数の静止画１７８を、気に入り度を把握できる態様で表示装置１１４に表示することができる。また、番組選択モードでは、ユーザは、番組の抽出を行った時点の１または複数の静止画１７８の画像のみならず、その気に入り度も視覚的に把握しながら所望の番組を選択できるので、番組抽出モード時にユーザが認識した情報が番組選択時においても参照することができ、所望する番組を容易かつ確実に選択することが可能となる。
【００６３】
（デジタル放送選択方法）
図８は、デジタル放送選択方法の処理の流れを説明したフローチャートである。まず、デジタル放送受信装置１１０の中央制御部１５０は、現在のモードが、番組抽出モードであるか否かを判定し（Ｓ２００）、番組抽出モードであれば（Ｓ２００におけるＹＥＳ）、リモコン１１２や操作部１３０を通じたユーザのチャンネル切り換えを示す操作入力の有無を判定し（Ｓ２０２）、チャンネル切り換えの操作入力があれば（Ｓ２０２におけるＹＥＳ）、切り換え元のデジタル番組ストリームに関して保持された４枚の静止画１７８を破棄すると共に（Ｓ２０４）、切り換え先のチャンネルのデジタル番組ストリームを表示装置１１４全体に表示し（Ｓ２０６）、静止画取得部１６２は、そのデジタル番組ストリームの静止画１７８（ＪＰＥＧデータ）を０．５秒おきに取得して、最新の静止画１７８から４枚、一時的に保持しておく（Ｓ２０８）。
【００６４】
続いて、リモコン１１２や操作部１３０を通じたユーザの「番組抽出」を示す操作入力の有無を判定し（Ｓ２１０）、「番組抽出」を示す操作入力があれば（Ｓ２１０におけるＹＥＳ）、リモコン１１２や操作部１３０を通じたユーザの気に入り度を示す操作入力の有無を判定し（Ｓ２１２）、気に入り度を示す操作入力があれば（Ｓ２１２におけるＹＥＳ）、入力された気に入り度をデジタル番組ストリームに関連付ける（Ｓ２１４）。
【００６５】
そして、静止画取得部１６２は、その番組が抽出されたことを契機に静止画取得ステップＳ２０８において取得、一時的に保持された４枚の静止画１７８を、データ保持部１４８に確定的に保持し（Ｓ２１６）、番組情報取得部１６６は、電子番組表から、その静止画１７８の元となるデジタル番組ストリームの番組情報を取得し、その番組情報を静止画１７８に重畳する（Ｓ２１８）。そして、番組候補としてユーザに抽出されたデジタル番組ストリームに気に入り度が関連付けられているか否か判定し（Ｓ２２０）、気に入り度が関連付けられていれば（Ｓ２２０におけるＹＥＳ）、静止画表示制御部１６４は、番組候補としてユーザに抽出されたデジタル番組ストリームの上記４枚の静止画１７８のうち、最新の静止画１７８を、その元となったデジタル番組ストリームに関連付けられた気に入り度を把握できる態様で表示装置１１４上の一部の表示枠１８０に表示させる（Ｓ２２２）。このとき、番組抽出モードにおいて、既に複数のデジタル番組ストリームが抽出されている場合、静止画表示制御部１６４は、他のデジタル番組ストリームに関する静止画１７８との気に入り度の相対比が把握できる態様で、表示装置１１４上に、表示順や大きさを異ならせて表示させる。また、気に入り度が関連付けられていなければ（Ｓ２２０におけるＮＯ）、予め定められた態様で最新の静止画１７８を表示装置１１４の一部の表示枠１８０に表示させる（Ｓ２２４）。
【００６６】
次に、リモコン１１２や操作部１３０を通じたユーザの「全削除」を示す操作入力の有無を判定し（Ｓ２２６）、「全削除」を示す操作入力があれば（Ｓ２２６におけＹＥＳ）、番組候補削除部１７０は、静止画表示制御部１６４が表示させている静止画１７８すべてを一括して削除する（Ｓ２２８）。そして、リモコン１１２や操作部１３０を通じたユーザの「表示終了」を示す操作入力の有無を判定し（Ｓ２３０）、「表示終了」を示す操作入力があれば（Ｓ２３０におけＹＥＳ）、中央制御部１５０は、当該デジタル放送選択方法を終了する。
【００６７】
また、番組抽出モード判定ステップＳ２００において、番組抽出モードではない、即ち、番組選択モードであると判定されると（Ｓ２００におけるＮＯ）、リモコン１１２や操作部１３０を通じたユーザのフォーカス枠１８２の移動を示す操作入力の有無を判定し（Ｓ２４０）、フォーカス枠１８２の移動を示す操作入力があれば（Ｓ２４０におけＹＥＳ）、選択表示制御部１６８は、表示装置１１４の１または複数の表示枠１８０のいずれかにフォーカス枠１８２を移動する（Ｓ２４２）。そして、フォーカス枠１８２が任意の表示枠１８０に当たった状態で、選択表示制御部１６８は、その表示枠１８０中の静止画１７８の元となるデジタル番組ストリームに関してデータ保持部１４８に保持された４枚の静止画１７８を切り換え表示する（Ｓ２４４）。
【００６８】
続いて、リモコン１１２や操作部１３０を通じたユーザの「決定」を示す操作入力の有無を判定し（Ｓ２４６）、「決定」を示す操作入力があれば（Ｓ２４６におけＹＥＳ）、選択表示制御部１６８は、その時点でフォーカス枠１８２が当たっている表示枠１８０に関する静止画１７８を選択し、その静止画１７８の元となるデジタル番組ストリームを表示装置１１４に表示させる（Ｓ２４８）。また、リモコン１１２や操作部１３０を通じたユーザの「削除」を示す操作入力の有無を判定し（Ｓ２５０）、「削除」を示す操作入力があれば（Ｓ２５０におけＹＥＳ）、番組候補削除部１７０は、静止画表示制御部１６４が表示させている静止画１７８のうち、フォーカス枠１８２が当たっている表示枠１８０中の静止画１７８を削除する（Ｓ２５２）。その後、番組抽出モード同様、全削除判定ステップＳ２２６を実行する。
【００６９】
かかるデジタル放送選択方法においても、番組抽出時にユーザが認識した情報や視認した画像を保持し、番組選択時にその情報や画像を表示させることで、ユーザがその情報や画像も確認しながら真に所望する番組を容易かつ確実に選択することが可能となる。
【００７０】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００７１】
なお、本明細書のデジタル放送選択方法の各工程は、必ずしもフローチャートとして記載された順序に沿って時系列に処理する必要はなく、並列的あるいはサブルーチンによる処理を含んでもよい。
【産業上の利用可能性】
【００７２】
本発明は、ザッピング選局の際に、番組候補を表示装置の画面上に保持させ、さらにその保持された番組候補から視聴する番組を選択可能なデジタル放送受信装置およびデジタル放送選択方法に利用することができる。
【符号の説明】
【００７３】
１１０  …デジタル放送受信装置
１１４  …表示装置
１３０  …操作部
１４４  …フレームメモリ
１４８  …データ保持部
１６０  …情報付加部
１６２  …静止画取得部
１６４  …静止画表示制御部
１６６  …番組情報取得部
１６８  …選択表示制御部
１７０  …番組候補削除部
１７８  …静止画
１８０  …表示枠
１８２  …フォーカス枠
【図１】
2012023702.tif 000003
【図２】
2012023702.tif 000004
【図３】
2012023702.tif 000005
【図４】
2012023702.tif 000006
【図５】
2012023702.tif 000007
【図６】
2012023702.tif 000008
【図７】
2012023702.tif 000009
【図８】
2012023702.tif 000010